(57)【要約】【課題】浴室の内部と外部を仕切る壁パネルの内部空間を水槽、又は、植栽用の空間に利用しつつ、壁パネルの外観の見栄えを良くした浴室ユニットを提供する。【解決手段】浴室ユニットは、浴室１の内部と外部（建物外部）を仕切る壁パネル４の浴室１側の面と外側の面を所謂調光ガラス５，６で構成してあり、これら調光ガラス５，６は浴室ユニットコントローラ１０からの制御信号によって透視状態又は不透視状態の何れかに切り替えられるようになっている。調光ガラス５，６は所定の隙間を開けて平行に配置されており、調光ガラス５，６の間の自由空間７は、この空間に水を入れることで水槽にしたり、植木鉢を置くなどして植栽用の空間にすることができる。【選択図】図１
2006299539.tif 000002
【特許請求の範囲】
【請求項１】
浴室の内部と外部を仕切る少なくとも１つの壁パネルの浴室側の面を、透光性を有する内側透光領域が少なくとも一部に設けられた第１の板材で構成するとともに、前記壁パネルの反対側の面を、第１の板材との間に隙間を開けて第１の板材と平行に配置された第２の板材で構成し、第１の板材と第２の板材との間にできる空間を水槽としたこと特徴とする浴室ユニット。
【請求項２】
浴室の内部と外部を仕切る少なくとも１つの壁パネルの浴室側の面を、透光性を有する内側透光領域が少なくとも一部に設けられた第１の板材で構成するとともに、前記壁パネルの反対側の面を、第１の板材との間に隙間を開けて第１の板材と平行に配置された第２の板材で構成し、第１の板材と第２の板材との間にできる空間を植栽用の空間としたこと特徴とする浴室ユニット。
【請求項３】
前記内側透光領域が前記第１の板材の略全体に設けられ、前記空間が前記壁パネルの略全体に亘って形成されたことを特徴とする請求項１又は２記載の浴室ユニット。
【請求項４】
前記第２の板材は、前記内側透光領域に対向する部位の少なくとも一部に透光性を有する外側透光領域が設けられたことを特徴とする請求項１乃至３の何れか１つに記載の浴室ユニット。
【請求項５】
前記外側透光領域の透過率を変化させることによって、外側透光領域を通して反対側を視認できる透視状態と視認できない不透視状態とに切り替える外側透過率切替手段を設けたことを特徴とする請求項４記載の浴室ユニット。
【請求項６】
前記外側透過率切替手段は、前記外側透光領域の一部の透過率を部分的に変化させることを特徴とする請求項５記載の浴室ユニット。
【請求項７】
前記壁パネルの外側の空間に設けた検知エリアにおける人の存否を検知する人感センサを設け、当該人感センサが人を検知すると、前記外側透過率切替手段が前記外側透光領域を不透視状態に切り替えることを特徴とする請求項５又は６記載の浴室ユニット。
【請求項８】
前記内側透光領域の透過率を変化させることによって、内側透光領域を通して反対側を視認できる透視状態と視認できない不透視状態とに切り替える内側透過率切替手段を設け、内側透過率切替手段により不透視状態に切り替えられた内側透光領域を映写面とし、当該映写面に映像を投影する映像投影装置を設けたことを特徴とする請求項１乃至７の何れか１つに記載の浴室ユニット。
【請求項９】
前記壁パネルの外側の空間に設けた検知エリアにおける人の存否を検知する人感センサと、浴室を利用する個々の人物毎に、前記人感センサが人を検知した場合に前記外側透光領域を不透視状態に切り替えるか否かを設定する設定情報を記憶する記憶部と、浴室内の人物を特定する個人特定部とを設け、前記人感センサが人の存在を検知すると、前記外側透過率切替手段が、前記個人特定部で特定された人物の設定情報を前記記憶部から読み込み、読み込んだ設定情報により不透視状態に切り替えると設定されている場合のみ前記外側透光領域を不透視状態に切り替えることを特徴とする請求項５又は６記載の浴室ユニット。
【発明の詳細な説明】
【技術分野】
【０００１】
本発明は、入浴中に熱帯魚や草木などを鑑賞することができる浴室ユニットに関するものである。
【背景技術】
【０００２】
従来より、戸外と浴室とを仕切る壁パネルに開口部を設けるとともに、この開口部の外側に出窓状に収納棚を設けて、この収納棚に水槽を載置することで、開口部を通して浴室側から水槽を眺められるようにした浴室ユニットが提供されている（例えば特許文献１参照）。
【特許文献１】特開平１１−６３１４号公報
【発明の開示】
【発明が解決しようとする課題】
【０００３】
上記構成の浴室ユニットでは、壁パネルに設けた開口部の外側に出窓状の収納棚を設けており、壁パネルそのもので水槽を形成しておらず、壁パネルに水槽を組み込んでいるので、建物の外壁に出っ張りができ、外観の見栄えが悪くなるという問題があった。また壁パネルに設けた収納棚に水槽を載置しているので、収納棚に載置した水槽を戸外の庭から観賞することができなかった。
【０００４】
本発明は上記問題点に鑑みて為されたものであり、その目的とするところは、浴室の内部と外部を仕切る壁パネルの内部空間を水槽、又は、植栽用の空間に利用しつつ、壁パネルの外観の見栄えを良くした浴室ユニットを提供することにある。また請求項４〜９の発明の目的とするところは、上記の目的に加えて、浴室の外部からも熱帯魚や草木などを鑑賞できるようにした浴室ユニットを提供することにある。
【課題を解決するための手段】
【０００５】
上記目的を達成するために、請求項１の発明は、浴室の内部と外部を仕切る少なくとも１つの壁パネルの浴室側の面を、透光性を有する内側透光領域が少なくとも一部に設けられた第１の板材で構成するとともに、壁パネルの反対側の面を、第１の板材との間に隙間を開けて第１の板材と平行に配置された第２の板材で構成し、第１の板材と第２の板材との間にできる空間を水槽としたこと特徴とする。
【０００６】
この発明によれば、浴室の内部と外部を仕切る壁パネルの浴室側の面を構成する第１の板材と、外側の面を構成する第２の板材との間にできる空間を水槽にしているので、浴室内の暖気によって水槽が暖められるから、水槽内の水を暖めるヒータを設置しなくても、熱帯魚などの水生動物や水生植物の育成に適した環境を実現でき、また湯槽にためた温水やカランから出る温水を熱帯魚などの育成に利用することもできる。しかも浴室側の第１の板材には内側透光領域を設けているので、浴室内から内側透光領域を通して水槽を鑑賞することができ、また外側の第２の板材は第１の板材と平行に配置されているので、外側の面に出っ張りができず、外観の見栄えを良くできる。
【０００７】
請求項２の発明は、浴室の内部と外部を仕切る少なくとも１つの壁パネルの浴室側の面を、透光性を有する内側透光領域が少なくとも一部に設けられた第１の板材で構成するとともに、壁パネルの反対側の面を、第１の板材との間に隙間を開けて第１の板材と平行に配置された第２の板材で構成し、第１の板材と第２の板材との間にできる空間を植栽用の空間としたこと特徴とする。
【０００８】
この発明によれば、浴室の内部と外部を仕切る壁パネルの浴室側の面を構成する第１の板材と、外側の面を構成する第２の板材との間にできる空間を植栽用の空間にしているので、浴室内の暖気によって植栽用の空間が暖められるから、植物の育成に適した環境を実現でき、また湯槽にためた温水やカランから出る温水を植物の育成に利用することもできる。しかも浴室側の第１の板材には内側透光領域を設けているので、浴室内から内側透光領域を通して水槽を鑑賞することができ、また外側の第２の板材は第１の板材と平行に配置されているので、外側の面に出っ張りができず、外観の見栄えを良くできる。
【０００９】
請求項３の発明は、請求項１又は２の発明において、内側透光領域が第１の板材の略全体に設けられ、前記空間が壁パネルの略全体に亘って形成されたことを特徴とする。
【００１０】
この発明によれば、第１の板材の略全体が透光性を有しているので、視野をできるだけ広くとることができ、且つ、壁パネルの略全体の空間を水槽又は植栽用の空間として利用することができる。
【００１１】
請求項４の発明は、請求項１乃至３の何れかの発明において、第２の板材は、内側透光領域に対向する部位の少なくとも一部に透光性を有する外側透光領域が設けられたことを特徴とする。
【００１２】
この発明によれば、外側透光領域を通して浴室の外側から水槽内の動植物、或いは、植栽を観賞することができ、且つ、浴室内から第１の板材に設けた内側透光領域と第２の板材に設けた外側透光領域とを通して浴室の外側を見ることが出来る。
【００１３】
請求項５の発明は、請求項４の発明において、外側透光領域の透過率を変化させることによって、外側透光領域を通して反対側を視認できる透視状態と視認できない不透視状態とに切り替える外側透過率切替手段を設けたことを特徴とする。
【００１４】
この発明によれば、外側透過率切替手段が外側透光領域の透過率を変化させることで、外側透光領域を透視状態から不透視状態に切り替えているので、戸外から浴室の内部を覗かれるのを防止できる。
【００１５】
請求項６の発明は、請求項５の発明において、外側透過率切替手段は、外側透光領域の一部の透過率を部分的に変化させることを特徴とする。
【００１６】
この発明によれば、外側透過率切替手段によって外側透光領域の透過率が部分的に変化させられるので、戸外から覗かれると困る部分だけ不透視状態に切り替えることが可能になる。
【００１７】
請求項７の発明は、請求項５又は６の発明において、壁パネルの外側の空間に設けた検知エリアにおける人の存否を検知する人感センサを設け、当該人感センサが人を検知すると、外側透過率切替手段が外側透光領域を不透視状態に切り替えることを特徴とする。
【００１８】
この発明によれば、人感センサが壁パネルの外側に設けた検知エリア内で人を検知すると、外側透過率切替手段が外側透光領域を不透視状態に切り替えているので、壁パネルの外側に人がいない場合には、外側透光領域を透視状態にして戸外の景色を楽しむことができ、且つ、壁パネルの外側に人がいる場合には、外側透光領域を不透視状態にして戸外から覗かれるのを防止することができる。
【００１９】
請求項８の発明は、請求項１乃至７の何れか１つの発明において、内側透光領域の透過率を変化させることによって、内側透光領域を通して反対側を視認できる透視状態と視認できない不透視状態とに切り替える内側透過率切替手段を設け、内側透過率切替手段により不透視状態に切り替えられた内側透光領域を映写面とし、当該映写面に映像を投影する映像投影装置を設けたことを特徴とする。
【００２０】
この発明によれば、内側透過率切替手段によって不透視状態に切り替えられた内側透光領域を映写面とし、この映写面に映像投影装置が映像を投影しているので、投影用のスクリーンを別途用意することなく、浴室内にいる人物が第１の板材に投影された映像を鑑賞することができる。
【００２１】
請求項９の発明は、請求項５又は６の発明において、壁パネルの外側の空間に設けた検知エリアにおける人の存否を検知する人感センサと、浴室を利用する個々の人物毎に、人感センサが人を検知した場合に外側透光領域を不透視状態に切り替えるか否かを設定する設定情報を記憶する記憶部と、浴室内の人物を特定する個人特定部とを設け、人感センサが人の存在を検知すると、外側透過率切替手段が、個人特定部で特定された人物の設定情報を記憶部から読み込み、読み込んだ設定情報により不透視状態に切り替えると設定されている場合のみ外側透光領域を不透視状態に切り替えることを特徴とする。
【００２２】
この発明によれば、人感センサが人の存在を検知した場合、外側透過率切替手段が、個人特定部によって特定された人物の設定情報を記憶部から読み込み、読み込んだ設定情報をもとに、透視状態に切り替えると設定されている場合のみ外側透光領域を不透視状態に切り替えているので、戸外から覗かれるのを嫌う人物のみ、人感センサの検知に応じて外側透光領域を不透視状態に切り替えることが可能になる。
【発明の効果】
【００２３】
請求項１の発明によれば、浴室の内部と外部を仕切る壁パネルの浴室側の面を構成する第１の板材と、外側の面を構成する第２の板材との間にできる空間を水槽にしているので、浴室内の暖気によって水槽が暖められるから、水槽内の水を暖めるヒータを設置しなくても、熱帯魚などの水生動物や水生植物の育成に適した環境を実現でき、また湯槽にためた温水やカランから出る温水を熱帯魚などの育成に利用することもできる。しかも浴室側の第１の板材には内側透光領域を設けているので、浴室内から内側透光領域を通して水槽を鑑賞することができ、また外側の第２の板材は第１の板材と平行に配置されているので、外側の面に出っ張りができず、外観の見栄えを良くできるという効果もある。
【００２４】
請求項２の発明によれば、浴室の内部と外部を仕切る壁パネルの浴室側の面を構成する第１の板材と、外側の面を構成する第２の板材との間にできる空間を植栽用の空間にしているので、浴室内の暖気によって植栽用の空間が暖められるから、植物の育成に適した環境を実現でき、また湯槽にためた温水やカランから出る温水を植物の育成に利用することもできる。しかも浴室側の第１の板材には内側透光領域を設けているので、浴室内から内側透光領域を通して水槽を鑑賞することができ、また外側の第２の板材は第１の板材と平行に配置されているので、外側の面に出っ張りができず、外観の見栄えを良くできるという効果もある。
【発明を実施するための最良の形態】
【００２５】
以下に本発明の実施の形態を図面に基づいて説明する。
【００２６】
（実施形態１）
本発明の実施形態１を図１〜図３に基づいて説明する。図１は本実施形態の浴室ユニットを示し、浴室１の左半分には浴槽２が設置され、残りの右半分が洗い場３となっている。浴室１の四方を囲う壁パネルの内、浴槽２に対して洗い場３と反対側にある壁パネル４は浴室１と建物の外部空間８とを仕切る壁であり、この壁パネル４は所定の隙間を開けて平行配置される２枚の調光ガラス５，６で構成される。調光ガラス５，６の間にできる自由空間７は、調光ガラス５，６の法線方向と鉛直方向とにそれぞれ直交する方向の両側部が閉塞されており、この自由空間７に水を満たすことで水槽として使用されている。また、建物の外部空間８において壁パネル４に面する領域はガーデニングに利用される植栽エリア９となっている。
【００２７】
調光ガラス５，６は、それぞれ、２枚のガラス板の間に液晶シートを挟んだサンドイッチ構造（図示せず）を有しており、後述の浴室ユニットコントローラ２０で液晶シートに印加する電圧をオン／オフすることによって、液晶分子の配列を変化させ、調光ガラス５又は６を通して反対側を視認できる透視状態、又は、反対側を視認できない不透視状態の何れかに切り替えることができるようになっている。ここで、壁パネル４の浴室１側の面を構成する調光ガラス５から第１の板材が構成され、反対側の面（外部空間８に接する面）を構成する調光ガラス６から第２の板材が構成される。
【００２８】
図２は浴室ユニットのシステム構成図であり、浴室ユニットコントローラ２０と、上述の調光ガラス５，６と、浴室１および自由空間７の天井にそれぞれ設置された照明器具１１，１２と、浴室１内に設置されて入浴中の人物が発した音声を電気信号に変換するマイク１３と、浴室１内に設置された入力用のタッチパネル１４と、人感センサ１５ａとを主要な構成として備える。尚、図１ではマイク１３および人感センサ１５ａを省略して図示してある。
【００２９】
照明器具１１，１２はそれぞれ浴室１および自由空間７の天井に設置され、浴室ユニットコントローラ２０によってオン／オフが制御される。マイク１３は浴室１内に設置され、入浴中の人物が発した音声を電気信号に変換して、浴室ユニットコントローラ２０に出力する。タッチパネル１４は浴室１内で壁パネル４以外の壁に設置されており、画面上に表示した入力ボタンを入浴中の人物が指などで押操作すると、操作に応じた切替信号が浴室ユニットコントローラ２０に入力される。人感センサ１５ａは誰かが浴室１を利用しているか否かを検出するためのもので、例えば焦電型の赤外線検出素子からなり、浴室１内に設定した検知エリア内の人体から放射される熱線を検知することで、検知エリアにおける人の存否を検出し、検出結果を浴室ユニットコントローラ２０に出力する。なお人感センサ１５ａの代わりに洗い場２の床に圧力センサ（図示せず）を設置し、この圧力センサで洗い場２への進入を検知することによって、浴室１を使用中であると検出するようにしても良いし、浴槽２に入れた湯水の水位を測定する水位センサ（図示せず）を設け、この水位センサで短期間の水位上昇を検出することによって、何れかの人物が湯槽に浸かっていること、つまり浴室１が使用中であることを検出しても良い。
【００３０】
一方、浴室ユニットコントローラ２０は音声入力部２１と音声認識部２２と個人認識部２３とデータベース２４と操作入力部２５と人体検知入力部２６とモード設定部２７と調光ガラスコントローラ２８と照明コントローラ２９とを備える。
【００３１】
浴室１内の人物が音声を発すると、人物の発した音声はマイク１３によって電気信号に変換され、音声入力部２１で増幅された後、音声認識部２２および個人認識部２３に出力される。音声認識部２２は、音声入力部２１を介して入力された音声信号を従来周知の方法で音声認識することによって、人物の発した音声の内容を取得し、認識結果をモード設定部２７に出力する。またデータベース２４には浴室１を利用する人物の音声データが予め登録されており、個人認識部２３が、音声入力部２１を介して入力された音声の特徴をデータベース２４に登録された音声データと照合することによって、浴室１内の人物を特定し、認識結果をモード設定部２７に出力する。
【００３２】
タッチパネル１４は、入浴中の人物を特定する操作や調光ガラス５，６および照明器具１１，１２の制御モードを切り替える操作を行うものである。タッチパネル１４により人物を特定する場合は、画面上に表示した選択釦で人物名を選択したり、人物名などを入力することで、この人物を特定する信号が操作入力部２５に出力される。また調光ガラス５，６および照明器具１１，１２の制御モードを切り替える場合、タッチパネル１４の画面上に複数の制御モード（本実施形態では３つの制御モード）を選択するための選択釦が表示されており、所望の制御モードに対応する選択釦を押操作すると、選択された制御モードに切り替えるための切替信号が操作入力部２５に出力される。尚、３つの制御モードとしては浴室１及び外部空間８の両方から自由空間７を視認できないようにする通常モードと、浴室１から自由空間７のみを視認できるようにする水槽鑑賞モードと、浴室１から自由空間７と戸外の景色を両方共に視認できるようにし、且つ、外部空間７からも自由空間７を視認できるようにするガーデニングモードとがある。そして、通常モードでは調光ガラス５，６を両方共に不透視状態として、浴室１内の照明器具１１を点灯、水槽部分（自由空間７）の照明器具１２を消灯させ、水槽鑑賞モードでは浴室１側の調光ガラス５を透視状態、外側の調光ガラス６を不透視状態として、照明器具１１，１２を両方共に点灯させ、ガーデニングモードでは調光ガラス５，６を両方共に透視状態とし、照明器具１１，１２を両方共に点灯させる（表１参照）。
【００３３】
【表１】
2006299539.tif 000003
【００３４】
操作入力部２５は、タッチパネル１４からの信号入力を監視しており、タッチパネル１４からの操作信号を取得すると、取得した操作信号をモード設定部２７に出力する。
【００３５】
人体検知入力部２６は人感センサ１５ａの出力を監視し、人感センサ１５ａからの人体検知信号を取得すると、取得した人体検知信号をモード設定部２７に出力する。
【００３６】
モード設定部２７は、上述した３つの制御モードに合わせて調光ガラス５，６および照明器具１１，１２の動作を制御する制御信号を生成して、生成された制御信号を調光ガラスコントローラ２８および照明コントローラ２９に出力する。調光ガラスコントローラ２８は、モード設定部２７から入力される制御信号に基づいて調光ガラス５，６の液晶シートに印加する電圧をオン／オフすることで、調光ガラス５，６を透視状態又は不透視状態の何れかに切り替えている。また照明コントローラ２９は、モード設定部２７から入力される制御信号に基づいて照明器具１１，１２の点灯／消灯を制御する。ここに、モード設定部２７と調光ガラスコントローラ２８とで、内側透光領域（調光ガラス５）および外側透光領域（調光ガラス６）の透過率をそれぞれ変化させることによって、調光ガラス５，６を通して反対側を視認できる透視状態と視認できない不透視状態とに切り替える内側透過率切替手段および外側透過率切替手段が構成される。
【００３７】
本実施形態の浴室ユニットは以上のような構成を有しており、この浴室ユニットの入浴時の動作を図３のフロー図にしたがって説明する。
【００３８】
浴室１内に人物が進入すると、人感センサ１５ａが浴室１内の人体を検出し、その検出信号が人体検知入力部２６を介してモード設定部２７に与えられる（ステップＳ１）。浴室１内への進入を検知した後、個人認識部２３が、マイク１３と音声入力部２１を介して入力された音声の特徴をデータベース２４に登録された音声データと照合することで個人の識別が行われ、認識結果がモード設定部２７に出力される（ステップＳ２）。なお音声認識の代わりに、浴室１内に進入した人物がタッチパネル１４を用いて個人名を入力したり選択することで、入浴中の人物を特定しても良く、タッチパネル１４からの入力信号は操作入力部２５を介してモード設定部２７に与えられる。
【００３９】
ここで、データベース２４には、個々の人物の音声データに加えて、各人物の好みの浴室環境を示す設定情報（つまり調光ガラス５，６および照明器具１１，１２の制御内容を示す設定情報）が登録されており、モード設定部２７では、個人認識部２３から認識結果が入力されるか、又は、操作入力部２５を介してタッチパネル１４から人物を特定する操作入力が与えられると、この人物の設定情報をデータベースから読み出し（ステップＳ３）、読み出した設定情報をもとに調光ガラス５，６および照明器具１１，１２の制御モードを設定し、各コントローラ２８，２９に制御信号を出力して調光ガラス５，６および照明器具１１，１２の動作を制御する（ステップＳ４）。なお人物の特定が不可能であったり、データベース２４に登録されていない人物が入浴した場合、モード設定部２７は調光ガラス５，６および照明器具１１，１２の制御モードを通常モードに設定し、各コントローラ２８，２９に制御信号を出力して調光ガラス５，６を不透視状態に切り替えるとともに、照明器具１１を点灯、照明器具１２を消灯させる（ステップＳ５）。
【００４０】
その後、浴室１内に人物がいる間、モード設定部２７はタッチパネル１４からの操作入力を監視しており（ステップＳ６）、入浴中の人物がタッチパネル１４を用いて制御モードを切り替える操作を行うと、操作入力部２５を介してタッチパネル１４からの操作入力がモード設定部２７に与えられ、この操作入力に基づいてモード設定部２７が制御モードを変更し（ステップＳ７）、変更後の制御モードに応じた制御信号を両コントローラ２８，２９に出力して調光ガラス５，６および照明器具１１，１２の動作を切り替える（ステップＳ８）。またモード設定部２７は、人感センサ１５ａからの検知入力をもとに浴室１から人物が退室したか否かを判断しており（ステップＳ９）、人感センサ１５ａから人体検知信号が一定期間入力されなくなると、浴室１から人物が退室したと判断して、処理を終了する。また、人感センサ１５ａの非検知状態が一定時間以上継続しなければ、モード設定部２７は入浴中と判断し、ステップＳ６に戻って、上述の処理を繰り返す。
【００４１】
このように本実施形態の浴室ユニットでは、浴室１の内部と外部を仕切る壁パネル４において浴室１側の面を構成する第１の板材と外側の面を構成する第２の板材とをそれぞ調光ガラス５，６で構成し、調光ガラス５，６の間の自由空間７に水を入れ、水槽として使用しているので、浴室１内の暖気によって水槽の水が暖められるから、水槽内の水を暖めるヒータなどを設置しなくても、熱帯魚などの水生動物や水生植物の育成に適した環境を実現でき、また湯槽にためた湯水や給湯器から浴室に供給される湯水を熱帯魚の育成に利用することも出来る。なお自由空間７を水槽として使用する代わりに、自由空間７に例えば植木鉢などを置いて、植栽用の空間に利用しても良く、浴室１内の暖気によって植栽用の空間が暖められるので、植物の育成に適した環境を実現でき、また湯槽にためた湯水や給湯器から浴室に供給される湯水を熱帯魚の育成に利用することも出来る。
【００４２】
しかも、外側の調光ガラス６は、浴室１側の調光ガラス５との間に隙間を開けて平行に配置されているので、壁パネル４の外側面に出っ張りなどができず、外観の見栄えを良くできる。また壁パネル７のほぼ全体に亘って自由空間７を設けているので、水槽或いは植栽用の空間として、できるだけ広いスペースを使用することが可能になる。
【００４３】
また浴室１側の調光ガラス５を透視状態とすれば、浴室１内から調光ガラス５を通して自由空間７を視認することができ、自由空間７を使用した水槽内の動植物や植栽などを入浴しながら観賞することができる。このとき外側の調光ガラス６を不透視状態とすれば、戸外から覗かれるのを防止できる。また調光ガラス５，６を両方共に透過状態とすれば、戸外の景色を見ながら入浴することができる。なお調光ガラス５はその全面を透視状態又は不透視状態に切り替えることができ、第１の板材の略全体を内側透光領域としているので、水槽や植栽の視野を広くとることが可能になるが、第１の板材の一部分のみを内側透光領域としても良い。また調光ガラス６はその全面を透視状態又は不透視状態に切り替えることができ、第２の板材の略全体を外側透光領域としているので、外界の視野を広くとることができる。なお第２の板材の一部分だけを外側透光領域としても良い。また調光ガラスコントローラ２８により調光ガラス６の全面を不透視状態にすることで戸外から覗かれるのを防止しているが、戸外から覗かれると困る部分、例えば調光ガラス６の下半分のみを透視状態又は不透視状態に切り替えて、上半分は常に透視状態に設定しても良く、戸外から見えても問題無い部分は常に透視状態とすることで、浴室１の開放感を高めることが出来る。
【００４４】
なお外側の調光ガラス６の透視状態、不透視状態は各制御モードで予め決められているが、外部空間８において壁パネル９の外側の空間に設けた検知エリアにおいて人の存否を検知する人感センサ１５ｂを設け、ガーデニングモードで動作中に人感センサ１５ｂが人体を検知すると、この検知信号に基づいてモード設定部２７が外部の調光ガラス６を不透視状態に切り替える制御信号を発生し、この制御信号に基づいて調光ガラスコントローラ２８が調光ガラス６を不透視状態に切り替えてもよく、戸外にいる人物を検出すると調光ガラス６を不透視状態に切り替えることで、戸外の人物から浴室１内を覗かれるのを防止できる。なお個々の人物毎に、人感センサ１５ｂの検知時に調光ガラス６を不透視状態に切り替えるか否かを設定する設定情報をデータベース２４（記憶部）に記憶させておき、ガーデニングモードで動作中に人感センサ１５ｂが人の存在を検知すると、モード設定部２７が、個人特定部としての個人認識部２３で特定された人物の設定情報をデータベース２４から読み込み、この設定情報により不透視状態に切り替えると設定されている場合のみ調光ガラス６を不透視状態に切り替えても良く、戸外から覗かれるのを嫌う人物のみ、人感センサ１５ｂの検知状態に応じて調光ガラス６を不透視状態に切り替えることが可能になる。
【００４５】
（実施形態２）
本発明の実施形態２を図４及び図５に基づいて説明する。図４は本実施形態の浴室ユニットの概略構成図であり、上述した実施形態１の浴室ユニットにおいて、不透視状態に切り替えられた調光ガラス５を映写面とし、この映写面に映像を投影するプロジェクタ（映像投影装置）１６を設けるとともに、浴室１内の適当な位置にスピーカ１７を配置し（図４ではスピーカ１７を省略して図示してある）、調光ガラス５に投影される映像やスピーカ１７から出力される音声を浴室１内で視聴できるようにしている。尚、浴室ユニットの基本的な構成は実施形態１と同様であるので、同一の構成要素には同一の符号を付して、その説明は省略し、以下では本実施形態の特徴部分のみを説明する。
【００４６】
図５は本実施形態のブロック図であり、実施形態１の浴室ユニットにおいて、複数の映像ソフトや音声ソフトを記憶する映像音声データベース（以下、映像音声ＤＢと略称す）３１と、モード設定部２７から入力される制御信号に応じた映像ソフト及び音声ソフトを映像音声ＤＢ３１から読み出して、読み出した映像ソフト及び音声ソフトを再生してプロジェクタ１６及びスピーカ１７から出力させる映像音声再生部３０とを設けている。
【００４７】
モード設定部２７では調光ガラス５，６および照明器具１１，１２の制御モードとして上述の３つのモード（通常モード、水槽鑑賞モード、ガーデニングモード）に加えて、調光ガラス５に投影した映像を視聴するスクリーンモードを設け、スクリーンモードでは調光ガラス５，６を両方共に不透視状態とし、照明器具１１，１２を両方共に消灯させる（表２参照）。
【００４８】
【表２】
2006299539.tif 000004
【００４９】
而して、入浴中の人物が映像や音楽を試聴したい場合に、この人物がタッチパネル１４を用いてスクリーンモードを選択するとともに、再生するソフト（映像ソフト或いは音声ソフト）を指定すると、操作入力部２５を介してタッチパネル１４の操作入力がモード設定部２７に与えられる。この時、モード設定部２７は調光ガラスコントローラ２８および照明コントローラ２９に動作モードをスクリーンモードに切り替える制御信号を出力し、この制御信号に基づいて調光ガラスコントローラ２８が調光ガラス５，６を両方共に不透視状態に切り替え、照明コントローラ２９が照明器具１１，１２を消灯させる。またモード設定部２７は、指定されたソフトを再生させるための制御信号を映像音声再生部３０に出力し、映像音声再生部３０が制御信号に基づいて指定されたソフトを映像音声ＤＢ３１から読み出し、読み出したソフトを再生してプロジェクタ１６およびスピーカ１７から出力させるので、入浴中の人物が調光ガラス５に投影された映像やスピーカ１７から出力される音声を視聴することができる。このように、本実施形態ではプロジェクタ１６からの映像を投影させる映写面として、不透視状態に切り替えられた調光ガラス５を利用しているので、別途スクリーンを用意する必要が無く、また調光ガラス５のほぼ全面を映写面として利用することで大画面の映像を楽しむことができる。
【００５０】
ところで上述の各実施形態では壁パネル４が浴室１と建物の外部空間８とを仕切っているが、建物の内部において浴室１と他の部屋との間を仕切る壁パネルに上述の各実施形態を適用しても良く、他の部屋から壁パネル４の調光ガラス６（浴室１と反対側の面）を通して壁パネル４の内部に設けた水槽や植栽を鑑賞することができる。
【００５１】
なお、本発明の精神と範囲に反することなしに、広範に異なる実施形態を構成することができることは明白なので、この発明は、特定の実施形態に制約されるものではない。
【図面の簡単な説明】
【００５２】
【図１】実施形態１の浴室ユニットの概略構成図である。
【図２】同上の浴室ユニットのブロック図である。
【図３】同上の動作を説明するフロー図である。
【図４】実施形態２の浴室ユニットの概略構成図である。
【図５】同上の浴室ユニットのブロック図である。
【符号の説明】
【００５３】
１  浴室
４  壁パネル
５，６  調光ガラス
７  自由空間
【図１】
2006299539.tif 000005
【図２】
2006299539.tif 000006
【図３】
2006299539.tif 000007
【図４】
2006299539.tif 000008
【図５】
2006299539.tif 000009